(57)【要約】      （修正有）【課題】交流電力網で電圧降下などの異常事態の発生時に、ＬＥＤ光源の電流を変化せず、輝度を一定に保てる調光ドライバ回路および調光ドライバボードを提供する。【解決手段】調光ドライバ回路は、調光器２に接続され、調光電圧を整流して整流電圧を生成するための整流モジュール１０と整流モジュールに接続され、整流電圧に従って第１定電圧電源を生成するための定電圧モジュール２０と整流モジュールに接続され、整流電圧に従って制御信号を生成するための制御モジュール４０と定電圧モジュールおよびＬＥＤ光源３に接続され、制御信号に従って第１定電圧電源を定電流処理してＬＥＤ光源を発光させるための駆動信号を出力するための定電流モジュール３０と定電圧モジュールに接続され、第１定電圧電源に従って供給電圧を生成して各機能モジュールに給電するための電源モジュール５０とを備える。【選択図】図１
0003225298.tif 000002
【実用新案登録請求の範囲】
【請求項１】
調光器とＬＥＤ光源との間に接続される調光ドライバ回路であって、
前記調光器に接続され、調光電圧を整流して整流電圧を生成するための整流モジュールと、
前記整流モジュールに接続され、前記整流電圧に従って第１定電圧電源を生成するための定電圧モジュールと、
前記整流モジュールに接続され、前記整流電圧に従って制御信号を生成するための制御モジュールと、
前記定電圧モジュールおよび前記ＬＥＤ光源に接続され、前記制御信号に従って前記第１定電圧電源を定電流処理して前記ＬＥＤ光源を発光させるための駆動信号を出力するための定電流モジュールと、
前記定電圧モジュールに接続され、前記第１定電圧電源に従って供給電圧を生成して各機能モジュールに給電するための電源モジュールと、を備える、ことを特徴とする調光ドライバ回路。
【請求項２】
前記制御モジュールは、
前記整流モジュールに接続され、前記整流電圧を検出して電圧検出信号を生成するための電圧入力ユニットと、
前記定電流モジュールに接続され、前記駆動信号を検出してフィードバック電圧を生成するためのフィードバックユニットと、
前記電圧入力ユニットおよび前記フィードバックユニットに接続され、前記電圧検出信号および前記フィードバック電圧に従って前記制御信号を生成するための制御ユニットと、
を備える、ことを特徴とする請求項１に記載の調光ドライバ回路。
【請求項３】
前記電圧入力ユニットは、第１抵抗、第２抵抗、第３抵抗、第４抵抗、第５抵抗、第１コンデンサ、第１ダイオードおよびツェナーダイオードを備え、
前記第１抵抗および前記第２抵抗は前記整流モジュールとアースとの間に接続され、前記ツェナーダイオードのカソードは前記第１抵抗と前記第２抵抗の共通接続端子に接続され、前記第３抵抗および前記第４抵抗は前記ツェナーダイオードのカソードとアースとの間に接続され、前記第５抵抗の第１端は前記第３抵抗を介して前記ツェナーダイオードのアノードに接続され、前記第５抵抗の第１端は前記第４抵抗を介して接地され、前記第１ダイオードのカソードは前記電源モジュールに接続され、前記第１ダイオードのアノードは前記第５抵抗の第１端に接続され、前記第５抵抗の第２端は前記制御ユニットに接続され、前記第１コンデンサは前記第５抵抗の第２端とアースとの間に接続される、ことを特徴とする請求項２に記載の調光ドライバ回路。
【請求項４】
前記電圧フィードバックユニットは、第６抵抗および第７抵抗を備え、前記第６抵抗および前記第７抵抗は前記定電流モジュールと前記制御ユニットとの間に直列に接続される、ことを特徴とする請求項２に記載の調光ドライバ回路。
【請求項５】
前記ＬＥＤ光源は、第１ＬＥＤランプおよび第２ＬＥＤランプを備え、前記調光ドライバ回路は、前記制御モジュールに接続され、スイッチング信号を生成するためのスイッチング信号モジュールと、そのうち、前記制御モジュールはさらに前記スイッチング信号に従って第１色温度調整信号および第２色温度調整信号を生成するために用いられ、前記制御モジュールおよび前記ＬＥＤ光源に接続され、前記第１色温度調整信号に従って前記駆動信号の電流を調整して前記第１ＬＥＤランプを発光させ、そして前記第２色温度調整信号に従って前記駆動信号の電流を調整して前記第２ＬＥＤランプを発光させるための色温度調整モジュールと、をさらに備える、ことを特徴とする請求項１に記載の調光ドライバ回路。
【請求項６】
前記定電圧モジュールは、
定電圧チップ、第８抵抗、第９抵抗、第１０抵抗、第１１抵抗、第１２抵抗、第１３抵抗、第１インダクタ、第１スイッチトランジスタ、第２コンデンサ、第２ダイオードおよび第３ダイオードを備え、
前記第１スイッチトランジスタのゲートは前記第８抵抗を介して前記定電圧チップのＰＦＣピンに接続され、前記第９抵抗は前記第１スイッチトランジスタのゲートと前記第１スイッチトランジスタのソースとの間に接続され、前記第１スイッチトランジスタのドレインは前記第１インダクタを介して前記整流モジュールに接続され、前記第１０抵抗は前記第１スイッチトランジスタのソースとアースとの間に接続され、前記第１３抵抗は前記定電圧チップのＶＢＵＳピンとアースとの間に接続され、前記第１１抵抗および前記第１２抵抗は前記第２コンデンサの第１端と前記定電圧チップのＶＢＵＳピンとの間に直列に接続され、前記第２コンデンサの第１端は前記第２ダイオードのカソードに接続され、前記第２ダイオードのアノードは前記整流モジュールに接続され、前記第３ダイオードのカソードは前記第２コンデンサの第１端に接続され、前記第３ダイオードのアノードは前記第１スイッチトランジスタのドレインに接続され、前記第２コンデンサの第２端は接地され、前記第２コンデンサの第２端は前記定電流モジュールに接続される、ことを特徴とする請求項１に記載の調光ドライバ回路。
【請求項７】
前記定電流モジュールは、
定電流チップ、第２スイッチトランジスタ、第２インダクタ、第１４抵抗、第１５抵抗、第１６抵抗、第１７抵抗、第１８抵抗、第３コンデンサおよび第４ダイオードを備え、
前記定電流チップの入力端子は前記第１４抵抗を介して前記制御モジュールに接続され、前記定電流チップの電源端子は前記電源モジュールに接続され、前記定電流チップの出力端子は前記第１５抵抗を介して前記第２スイッチトランジスタのゲートに接続され、前記第２スイッチトランジスタのソースは前記第１７抵抗を介して接地され、前記第１６抵抗は前記第２スイッチトランジスタのソースと前記第２スイッチトランジスタのゲートとの間に接続され、前記第２インダクタの第１端は前記第２スイッチトランジスタのドレインに接続され、前記第２インダクタの第２端は前記第１８抵抗を介して前記定電圧モジュールに接続され、前記第３コンデンサの第１端は前記定電圧モジュールおよび前記ＬＥＤ光源の正極に接続され、前記第３コンデンサの第２端は前記第２インダクタの第２端および前記ＬＥＤ光源の負極に接続され、前記第４ダイオードのアノードは前記第２スイッチトランジスタのドレインに接続され、前記第４ダイオードのカソードは前記定電圧モジュールに接続される、ことを特徴とする請求項１に記載の調光ドライバ回路。
【請求項８】
前記電源モジュールは、
前記定電圧モジュールに接続され、前記第１定電圧電源を第１電圧に変換するための第１電圧変換ユニットと、
前記第１電圧変換モジュールに接続され、前記第１電圧を第２電圧に変換するための第２電圧変換ユニットと、を備える、ことを特徴とする請求項１に記載の調光ドライバ回路。
【請求項９】
前記第１電圧変換ユニットは、
第１変換チップ、第３インダクタ、第１９抵抗、第２０抵抗、第５ダイオード、第６ダイオード、第４コンデンサおよび第５コンデンサを備え、
前記第１変換チップのＤピンは前記定電圧モジュールに接続され、前記第３インダクタの第１端は前記第１変換チップのＳピンに接続され、前記第３インダクタの第２端は前記第２電圧変換ユニットに接続され、前記第５ダイオードのアノードは前記第３インダクタの第２端に接続され、前記第５ダイオードのカソードは前記第４コンデンサを介して前記第３インダクタの第１端に接続され、前記第６ダイオードのカソードは前記第３インダクタの第１端に接続され、前記第６ダイオードのアノードは前記第５コンデンサを介して前記第３インダクタの第２端に接続され、前記第６ダイオードのアノードは接地され、前記第１９抵抗は前記第５ダイオードのカソードと前記第１変換チップのＦＢピンとの間に接続され、前記第２０抵抗は前記第３インダクタの第１端と前記第１変換チップのＦＢピンとの間に接続される、ことを特徴とする請求項８に記載の調光ドライバ回路。
【請求項１０】
調光器とＬＥＤ光源との間に接続される調光ドライバボードであって、
回路基板と、
前記回路基板に設けられた請求項１から９のいずれも１項に記載の調光ドライバ回路と、を備える、ことを特徴とする調光ドライバボード。
【考案の詳細な説明】
【技術分野】
【０００１】
本考案は照明制御の技術分野に属し、特に調光ドライバ回路および調光ドライバボードに関する。
【背景技術】
【０００２】
サイリスタ調光器は、現在よく使われている調光方式であり、調光を実現するために位相制御方式を採用し、すなわち正弦波の半周期毎にサイリスタ調光器をオンにし、同じ導通位相角を得る。サイリスタ調光器のチョッパ位相を調整することによって、導通位相角の大きさを変えて調光を達成することができる。
現在、既存のサイリスタ調光の駆動方式は基本的に一次調光方式を使用しており、交流電力網で瞬時電圧降下が発生するとそれに応じて駆動されている出力電流が変動し、これにより、ランプの輝度が変化し、照明システムの安定性が悪く、ユーザーに不便をもたらす。
【考案の概要】
【考案が解決しようとする課題】
【０００３】
本考案は、調光ドライバ回路および調光ドライバボードを提供することを目的とし、既存のサイリスタ調光方式において交流電力網で瞬時電圧降下が発生する際に、それに応じて駆動の出力電流が変動し、これにより、ランプの輝度が変化し、照明システムの安定性が悪くなるという課題を解決することを旨とする。
【課題を解決するための手段】
【０００４】
調光器とＬＥＤ光源との間に接続される調光ドライバ回路であって、
上記調光器に接続され、調光電圧を整流して整流電圧を生成するための整流モジュールと、
上記整流モジュールに接続され、上記整流電圧に従って第１定電圧電源を生成するための定電圧モジュールと、
上記整流モジュールに接続され、上記整流電圧に従って制御信号を生成するための制御モジュールと、
上記定電圧モジュールおよび上記ＬＥＤ光源に接続され、上記制御信号に従って上記第１定電圧電源を定電流処理して上記ＬＥＤ光源を発光させるための駆動信号を出力するための定電流モジュールと、そのうち、上記駆動信号は上記ＬＥＤ光源を発光させるように駆動し、
上記定電圧モジュールに接続され、上記第１定電圧電源に従って供給電圧を生成して各機能モジュールに給電するための電源モジュールと、を備える。
【０００５】
そのうちの１つ実施例において、上記制御モジュールは、
上記整流モジュールに接続され、上記整流電圧を検出して電圧検出信号を生成するための電圧入力ユニットと、
上記定電流モジュールに接続され、上記駆動信号を検出してフィードバック電圧を生成するためのフィードバックユニットと、
上記電圧入力ユニットおよび上記フィードバックユニットに接続され、上記電圧検出信号および上記フィードバック電圧に従って上記制御信号を生成するための制御ユニットと、を備える。
【０００６】
そのうちの１つ実施例において、上記電圧入力ユニットは、第１抵抗、第２抵抗、第３抵抗、第４抵抗、第５抵抗、第１コンデンサ、第１ダイオードおよびツェナーダイオードを備える。
上記第１抵抗および上記第２抵抗は、上記整流モジュールとアースとの間に接続され、上記ツェナーダイオードのカソードは上記第１抵抗と上記第２抵抗の共通接続端子に接続され、上記第３抵抗および上記第４抵抗は上記ツェナーダイオードのカソードとアースとの間に接続され、上記第５抵抗の第１端は上記第３抵抗を介して上記ツェナーダイオードのアノードに接続され、上記第５抵抗の第１端は上記第４抵抗を介して接地され、上記第１ダイオードのカソードは上記電源モジュールに接続され、上記第１ダイオードのアノードは上記第５抵抗の第１端に接続され、上記第５抵抗の第２端は上記制御ユニットに接続され、上記第１コンデンサは上記第５抵抗の第２端とアースとの間に接続される。
【０００７】
そのうちの１つ実施例において、上記電圧フィードバックユニットは、第６抵抗および第７抵抗を備え、上記第６抵抗および上記第７抵抗は、上記定電流モジュールと上記制御ユニットとの間に直列に接続される。
そのうちの１つ実施例において、上記ＬＥＤ光源は、第１ＬＥＤランプおよび第２ＬＥＤランプを備え、上記調光ドライバ回路は、上記制御モジュールに接続され、スイッチング信号を生成するためのスイッチング信号モジュールと、そのうち、上記制御モジュールはさらに上記スイッチング信号に従って第１色温度調整信号および第２色温度調整信号を生成するために用いられ、上記制御モジュールおよび上記ＬＥＤ光源に接続され、上記第１色温度調整信号に従って上記駆動信号の電流を調整して上記第１ＬＥＤランプを発光させ、そして上記第２色温度調整信号に従って上記駆動信号の電流を調整して上記第２ＬＥＤランプを発光させるための色温度調整モジュールと、をさらに備える。
【０００８】
そのうちの１つ実施例において、上記定電圧モジュールは、
定電圧チップ、第８抵抗、第９抵抗、第１０抵抗、第１１抵抗、第１２抵抗、第１３抵抗、第１インダクタ、第１スイッチトランジスタ、第２コンデンサ、第２ダイオードおよび第３ダイオードを備える。
【０００９】
上記第１スイッチトランジスタのゲートは上記第８抵抗を介して上記定電圧チップのＰＦＣピンに接続され、上記第９抵抗は上記第１スイッチトランジスタのゲートと上記第１スイッチトランジスタのソースとの間に接続され、上記第１スイッチトランジスタのドレインは上記第１インダクタを介して上記整流モジュールに接続され、上記第１０抵抗は上記第１スイッチトランジスタのソースとアースとの間に接続され、上記第１３抵抗は上記定電圧チップのＶＢＵＳピンとアースとの間に接続され、上記第１１抵抗および上記第１２抵抗は上記第２コンデンサの第１端と上記定電圧チップのＶＢＵＳピンとの間に直列に接続され、上記第２コンデンサの第１端は上記第２ダイオードのカソードに接続され、上記第２ダイオードのアノードは上記整流モジュールに接続され、上記第３ダイオードのカソードは上記第２コンデンサの第１端に接続され、上記第３ダイオードのアノードは上記第１スイッチトランジスタのドレインに接続され、上記第２コンデンサの第２端は接地され、上記第２コンデンサの第２端は上記定電流モジュールに接続される。
【００１０】
そのうちの１つ実施例において、上記定電流モジュールは、
定電流チップ、第２スイッチトランジスタ、第２インダクタ、第１４抵抗、第１５抵抗、第１６抵抗、第１７抵抗、第１８抵抗、第３コンデンサおよび第４ダイオードを備える。
【００１１】
上記定電流チップの入力端子は上記第１４抵抗を介して上記制御モジュールに接続され、上記定電流チップの電源端子は上記電源モジュールに接続され、上記定電流チップの出力端子は上記第１５抵抗を介して上記第２スイッチトランジスタのゲートに接続され、上記第２スイッチトランジスタのソースは上記第１７抵抗を介して接地され、上記第１６抵抗は上記第２スイッチトランジスタのソースと上記第２スイッチトランジスタのゲートとの間に接続され、上記第２インダクタの第１端は上記第２スイッチトランジスタのドレインに接続され、上記第２インダクタの第２端は上記第１８抵抗を介して上記定電圧モジュールに接続され、上記第３コンデンサの第１端は上記定電圧モジュールおよび上記ＬＥＤ光源の正極に接続され、上記第３コンデンサの第２端は上記第２インダクタの第２端および上記ＬＥＤ光源の負極に接続され、上記第４ダイオードのアノードは上記第２スイッチトランジスタのドレインに接続され、上記第４ダイオードのカソードは上記定電圧モジュールに接続される。
【００１２】
そのうちの１つ実施例において、上記電源モジュールは、
上記定電圧モジュールに接続され、上記第１定電圧電源を第１電圧に変換するための第１電圧変換ユニットと、
上記第１電圧変換モジュールに接続され、上記第１電圧を第２電圧に変換するための第２電圧変換ユニットと、を備える。
【００１３】
そのうちの１つ実施例において、上記第１電圧変換ユニットは、
第１変換チップ、第３インダクタ、第１９抵抗、第２０抵抗、第５ダイオード、第６ダイオード、第４コンデンサおよび第５コンデンサを備える。
【００１４】
上記第１変換チップのＤピンは上記定電圧モジュールに接続され、上記第３インダクタの第１端は上記第１変換チップのＳピンに接続され、上記第３インダクタの第２端は上記第２電圧変換ユニットに接続され、上記第５ダイオードのアノードは上記第３インダクタの第２端に接続され、上記第５ダイオードのカソードは上記第４コンデンサを介して上記第３インダクタの第１端に接続され、上記第６ダイオードのカソードは上記第３インダクタの第１端に接続され、上記第６ダイオードのアノードは上記第５コンデンサを介して上記第３インダクタの第２端に接続され、上記第６ダイオードのアノードは接地され、上記第１９抵抗は上記第５ダイオードのカソードと上記第１変換チップのＦＢピンとの間に接続され、上記第２０抵抗は上記第３インダクタの第１端と上記第１変換チップのＦＢピンとの間に接続される。
【００１５】
また、調光器とＬＥＤ光源との間に接続される調光ドライバボードをさらに提供し、上記調光ドライバボードは、
回路基板と、上記回路基板に設けられた上記調光ドライバ回路と、を備える。
【考案の効果】
【００１６】
上述した調光ドライバ回路および調光ドライバボードは、定電圧モジュールを介して交流電力網で電圧を入力するときに生成した様々な電圧降下または変動を効果的に抑制することによって、安定した電圧を出力するように確保し、かつ定電流モジュールに安定した入力電圧を提供し、その同時に、制御モジュールを採用して対応する制御信号を出力して定電流モジュールからＬＥＤ光源へ出力される電流を制御し、電流を一定に保ち、交流電力網で電圧降下などの異常事態が発生したときに、ＬＥＤ光源へ駆動出力される電流を変化させず、ＬＥＤ光源の輝度を一定に保つことができる。
【図面の簡単な説明】
【００１７】
【図１】本考案の実施例による調光ドライバ回路の構造模式図である。
【図２】本考案の別の実施例による調光ドライバ回路の構造模式図である。
【図３】本考案の実施例による調光ドライバ回路の例示概略回路図である。
【図４】図１に示す調光ドライバ回路における電源モジュールの例示概略回路図である。
【考案を実施するための形態】
【００１８】
本考案の目的、技術的解決手段および利点をより明らかにするために、以下、図面および実施例に合わせて本考案をより詳細に説明する。ここで説明される具体的な実施例は本考案を解釈するためのものに過ぎず、本考案を限定するためのものではないことを理解すべきである。
【００１９】
図１は本考案の実施例による調光ドライバ回路を示す構造模式図であり、説明を簡単にするために、本実施例に関連する部分のみを示し、以下に詳細に説明する。
図１に示すように、本考案は調光ドライバ回路を提供し、調光器２とＬＥＤ光源３との間に接続され、調光ドライバ回路は、調光器２に接続され、調光電圧を整流して整流電圧を生成するための整流モジュール１０と、整流モジュール１０に接続され、整流電圧に従って第１定電圧電源を生成するための定電圧モジュール２０と、整流モジュール１０に接続され、整流電圧に従って制御信号を生成するための制御モジュールと、定電圧モジュール２０およびＬＥＤ光源３に接続され、制御信号に従って第１定電圧電源を定電流処理してＬＥＤ光源３を発光させるための駆動信号を出力するための定電流モジュール３０と、定電圧モジュール２０に接続され、第１定電圧電源に従って供給電圧を生成して各機能モジュールに給電するための電源モジュール５０と、を備える。定電圧モジュール２０を介して交流電力網で電圧を入力するときに生成する様々な電圧降下または変動を効果的に抑制することによって、安定した電圧を出力するように確保し、かつ定電流モジュール３０に安定した入力電圧を提供し、その同時に、制御モジュール４０を採用して対応する制御信号を出力して定電流モジュール３０からＬＥＤ光源３へ出力される電流を制御し、電流を一定に保ち、交流電力網で電圧降下などの異常事態が発生したときに、ＬＥＤ光源３へ駆動出力される電流を変化させず、ＬＥＤ光源３の輝度を一定に保つことができる。
【００２０】
そのうちの１つ実施例において、制御モジュール４０は、上記整流モジュール１０に接続され、上記整流電圧を検出して電圧検出信号を生成するための電圧入力ユニットと、上記定電流モジュール３０に接続され、上記駆動信号を検出してフィードバック電圧を生成するためのフィードバックユニットと、上記電圧入力ユニットおよび上記フィードバックユニットに接続され、上記電圧検出信号および上記フィードバック電圧に従って上記制御信号を生成するための制御ユニットＵ１と、を備える。
【００２１】
図２に示すように、そのうちの１つ実施例において、ＬＥＤ光源３は第１ＬＥＤランプ３１および第２ＬＥＤランプ３２を備え、調光ドライバ回路は、制御モジュール４０に接続され、スイッチング信号を生成するためのスイッチング信号モジュール６０と、そのうち、制御モジュール４０はさらにスイッチング信号に従って第１色温度調整信号および第２色温度調整信号を生成するために用いられ、制御モジュール４０およびＬＥＤ光源３に接続され、第１色温度調整信号に従って駆動信号の電流を調整して第１ＬＥＤランプ３１を発光させ、そして第２色温度調整信号に従って駆動信号の電流を調整して第２ＬＥＤランプ３２を発光させるための色温度調整モジュール７０と、をさらに備える。具体的に、第１ＬＥＤランプ３１が第１色温度を有し、第２ＬＥＤランプ３２が第２色温度を有し、ユーザーが窓を開けると、スイッチング信号モジュール６０がスイッチング信号を生成し、制御モジュール４０がスイッチング信号に従って第１色温度度調整信号および第２色温度度調整信号を生成し、そのうち、第１色温度度調整信号は駆動信号の電流を調整して第１ＬＥＤランプ３１を発光させるためのものであり、第１色温度度調整信号は駆動信号の電流を調整して第２ＬＥＤランプ３２を発光させるためのものであり、これにより、第１ＬＥＤランプ３１および第２ＬＥＤランプ３２が異なる色温度を組み合わせて異なる視覚効果を形成するように、第１ＬＥＤランプ３１および第２ＬＥＤランプ３２の輝度が調整される。第１色温度度調整信号および第２色温度度調整信号は、いずれもパルス幅変調信号であり、第１色温度度調整信号および第２色温度度調整信号のデューティ比を調整することによって駆動信号の電流を調整し、例えば、第１色温度の光源が必要な場合、第１色温度度調整信号のデューティ比を１００％に設定し、第２色温度度調整信号のデューティ比を０％に設定してもよい。
【００２２】
図１および図３に示すように、そのうちの１つ実施例において、電圧入力ユニットは、第１抵抗Ｒ１、第２抵抗Ｒ２、第３抵抗Ｒ３、第４抵抗Ｒ４、第５抵抗Ｒ５、第１コンデンサＣ１、第１ダイオードＤ１およびツェナーダイオードＺ１を備える。第１抵抗Ｒ１および第２抵抗Ｒ２は整流モジュール１０とアースとの間に接続され、ツェナーダイオードＺ１のカソードは第１抵抗Ｒ１と第２抵抗Ｒ２の共通接続端子に接続され、第３抵抗Ｒ３および第４抵抗Ｒ４はツェナーダイオードＺ１のカソードとアースとの間に接続され、第５抵抗Ｒ５の第１端は第３抵抗Ｒ３を介してツェナーダイオードＺ１のアノードに接続され、第５抵抗Ｒ５の第１端は第４抵抗Ｒ４を介して接地され、第１ダイオードＤ１のカソードは電源モジュール５０に接続され、第１ダイオードＤ１のアノードは第５抵抗Ｒ５の第１端に接続され、第５抵抗Ｒ５の第２端は制御ユニットＵ１に接続され、第１コンデンサＣ１は第５抵抗Ｒ５の第２端とアースとの間に接続される。
【００２３】
そのうちの１つ実施例において、電圧フィードバックユニットは、第６抵抗Ｒ６および第７抵抗Ｒ７を備え、第６抵抗Ｒ６および第７抵抗Ｒ７は、定電流モジュール３０と制御ユニットＵ１との間に直列に接続される。そのうちの１つ実施例において、制御ユニットＵ１は、電圧入力ユニットに接続され、整流電圧をデジタル信号に変換するためのアナログ・デジタル変換器と、アナログ・デジタル変換器およびフィードバックユニットに接続され、デジタル信号およびフィードバック電圧に応じて制御信号を生成するためのコントローラと、を備える。
【００２４】
そのうちの１つ実施例において、定電圧モジュール２０は、定電圧チップＵ２、第８抵抗Ｒ８、第９抵抗Ｒ９、第１０抵抗Ｒ１０、第１１抵抗Ｒ１１、第１２抵抗Ｒ１２、第１３抵抗Ｒ１３、第１インダクタＬ１、第１スイッチトランジスタＱ１、第２コンデンサＣ２、第２ダイオードＤ２および第３ダイオードＤ３を備える。第１スイッチトランジスタＱ１のゲートは第８抵抗Ｒ８を介して定電圧チップＵ２のＰＦＣピンに接続され、第９抵抗Ｒ９は第１スイッチトランジスタＱ１のゲートと第１スイッチトランジスタＱ１のソースとの間に接続され、第１スイッチトランジスタＱ１のドレインは第１インダクタＬ１を介して整流モジュール１０に接続され、第１０抵抗Ｒ１０は第１スイッチトランジスタＱ１のソースとアースとの間に接続され、第１３抵抗Ｒ１３は定電圧チップＵ２のＶＢＵＳピンとアースとの間に接続され、第１１抵抗Ｒ１１および第１２抵抗Ｒ１２は第２コンデンサＣ２の第１端と定電圧チップＵ２のＶＢＵＳピンとの間に直列に接続され、第２コンデンサＣ２の第１端は第２ダイオードＤ２のカソードに接続され、第２ダイオードＤ２のアノードは整流モジュール１０に接続され、第３ダイオードＤ３のカソードは第２コンデンサＣ２の第１端に接続され、第３ダイオードＤ３のアノードは第１スイッチトランジスタＱ１のドレインに接続され、第２コンデンサＣ２の第２端は接地され、第２コンデンサＣ２の第２端は定電流モジュール３０に接続される。
【００２５】
そのうちの１つ実施例において、定電流モジュール３０は、定電流チップＵ３、第２スイッチトランジスタＱ２、第２インダクタＬ２、第１４抵抗Ｒ１４、第１５抵抗Ｒ１５、第１６抵抗Ｒ１６、第１７抵抗Ｒ１７、第１８抵抗Ｒ１８、第３コンデンサＣ３および第４ダイオードＤ４を備える。定電流チップＵ３の入力端子は第１４抵抗Ｒ１４を介して制御モジュール４０に接続され、定電流チップＵ３の電源端子は電源モジュール５０に接続され、定電流チップＵ３の出力端子は第１５抵抗Ｒ１５を介して第２スイッチトランジスタＱ２のゲートに接続され、第２スイッチトランジスタＱ２のソースは第１７抵抗Ｒ１７を介して接地され、第１６抵抗Ｒ１６は第２スイッチトランジスタＱ２のソースと第２スイッチトランジスタＱ２のゲートとの間に接続され、第２インダクタＬ２の第１端は第２スイッチトランジスタＱ２のドレインに接続され、第２インダクタＬ２の第２端は第１８抵抗Ｒ１８を介して定電圧モジュール２０に接続され、第３コンデンサＣ３の第１端は定電圧モジュール２０およびＬＥＤ光源３の正極に接続され、第３コンデンサＣ３の第２端は第２インダクタＬ２の第２端およびＬＥＤ光源３の負極に接続され、第４ダイオードＤ４のアノードは第２スイッチトランジスタＱ２のドレインに接続され、第４ダイオードＤ４のカソードは定電圧モジュール２０に接続される。
【００２６】
図１および図３に示すように、そのうちの１つ実施例において、電源モジュール５０は、定電圧モジュール２０に接続され、第１定電圧電源を第１電圧に変換するための第１電圧変換ユニットと、第１電圧変換モジュールに接続され、第１電圧を第２電圧に変換するための第２電圧変換ユニットと、を備える。
【００２７】
そのうちの１つ実施例において、第１電圧変換ユニットは、第１変換チップＵ４、第３インダクタＬ３、第１９抵抗Ｒ１９、第２０抵抗Ｒ２０、第５ダイオードＤ５、第６ダイオードＤ６、第４コンデンサＣ４および第５コンデンサを備える。第１変換チップＵ４のＤピンは定電圧モジュール２０に接続され、第３インダクタＬ３の第１端は第１変換チップＵ４のＳピンに接続され、第３インダクタＬ３の第２端は第２電圧変換ユニットに接続され、第５ダイオードＤ５のアノードは第３インダクタＬ３の第２端に接続され、第５ダイオードＤ５のカソードは第４コンデンサを介して第３インダクタＬ３の第１端に接続され、第６ダイオードＤ６のカソードは第３インダクタＬ３の第１端に接続され、第６ダイオードＤ６のアノードは第５コンデンサＣ５を介して第３インダクタＬ３の第２端に接続され、第６ダイオードＤ６のアノードは接地され、第１９抵抗Ｒ１９は第５ダイオードＤ５のカソードと第１変換チップＵ４のＦＢピンとの間に接続され、第２０抵抗Ｒ２０は第３インダクタＬ３の第１端と第１変換チップＵ４のＦＢピンとの間に接続される。
【００２８】
上記調光ドライバ回路は、整流回路の整流ブリッジを介して調光器から出力される調光電圧を整流処理して整流電圧を生成し、定電圧モジュールにおける定電圧チップＵ２のＰＦＣピンからスイッチ制御信号を出力して第１スイッチトランジスタＱ１のオンオフを制御することによって、第１スイッチトランジスタＱ１のドレインから第１定電圧電源が出力される。同時に、電圧入力ユニットは第１抵抗Ｒ１および第２抵抗Ｒ２で分圧され、整流回路から出力される整流電圧を検出し、ツェナーダイオードＺ１で電圧安定化処理して電圧検出信号を生成して制御ユニットＵ１の入力ピンＲＡ２に出力し、制御ユニットＵ１の入力ピンＲＡ０は第２スイッチトランジスタＱ２のソースからフィードバック電圧を取得し、制御ユニットＵ１は当該電圧検出信号およびフィードバック電圧に従って制御信号を生成し、出力ピンＲＡ５を介して定電流モジュールの入力ピンＩＮに出力し、定電流チップＵ３の出力ピンＯＵＴは当該制御信号に従ってスイッチ制御信号を出力して第２スイッチトランジスタＱ２のオンオフを制御し、第２スイッチトランジスタＱ２のドレインから定電流の駆動信号を出力し、ＬＥＤ光源の輝度を一定に駆動する。第１電圧変換ユニットにおける第１変換チップＵ４の入力ピンＤは、定電圧モジュールから出力される第１定電圧電源を受信し、第１定電圧電源を１４Ｖの第１電圧に変化し、第２電圧変換ユニットにおける第２変換チップの入力ピンＶｉｎは、第１電圧を受信し、１４Ｖの第１電圧を５Ｖの第２電圧に変換し、第２変換チップの入力ピンＶｏｕｔを通じて出力する。ここで、第１電圧は定電圧チップＵ２および定電流チップＵ３に必要な電源を供給し、第２電圧は制御モジュールに必要な電源を供給する。
【００２９】
また、調光器２とＬＥＤ光源３との間に接続される調光ドライバボードをさらに提供し、調光ドライバボードは、回路基板と、回路基板に設けられた上記調光ドライバ回路と、を備える。
上記は本考案の好ましい実施例に過ぎず、本考案を限定するものではなく、本考案の精神および原則においてなされたあらゆる変更、等価取替及び改良等は、本考案の保護範囲に含まれるはずである。
【図１】
0003225298.tif 000003
【図２】
0003225298.tif 000004
【図３】
0003225298.tif 000005
【図４】
0003225298.tif 000006
【手続補正書】
【提出日】令和1年12月11日(2019.12.11)
【手続補正１】
【補正対象書類名】実用新案登録請求の範囲
【補正対象項目名】全文
【補正方法】変更
【補正の内容】
【実用新案登録請求の範囲】
【請求項１】
調光器とＬＥＤ光源との間に接続される調光ドライバ回路であって、
前記調光器に接続され、調光電圧を整流して整流電圧を生成するための整流モジュールと、
前記整流モジュールに接続され、前記整流電圧に従って第１定電圧電源を生成するための定電圧モジュールと、
前記整流モジュールに接続され、前記整流電圧に従って制御信号を生成するための制御モジュールと、
前記定電圧モジュールおよび前記ＬＥＤ光源に接続され、前記制御信号に従って前記第１定電圧電源を定電流処理して前記ＬＥＤ光源を発光させるための駆動信号を出力するための定電流モジュールと、
前記定電圧モジュールに接続され、前記第１定電圧電源に従って供給電圧を生成して各機能モジュールに給電するための電源モジュールと、を備える、ことを特徴とする調光ドライバ回路。
【請求項２】
前記制御モジュールは、
前記整流モジュールに接続され、前記整流電圧を検出して電圧検出信号を生成するための電圧入力ユニットと、
前記定電流モジュールに接続され、前記駆動信号を検出してフィードバック電圧を生成するためのフィードバックユニットと、
前記電圧入力ユニットおよび前記フィードバックユニットに接続され、前記電圧検出信号および前記フィードバック電圧に従って前記制御信号を生成するための制御ユニットと、
を備える、ことを特徴とする請求項１に記載の調光ドライバ回路。
【請求項３】
前記電圧入力ユニットは、第１抵抗、第２抵抗、第３抵抗、第４抵抗、第５抵抗、第１コンデンサ、第１ダイオードおよびツェナーダイオードを備え、
前記第１抵抗および前記第２抵抗は前記整流モジュールとアースとの間に接続され、前記ツェナーダイオードのカソードは前記第１抵抗と前記第２抵抗の共通接続端子に接続され、前記第３抵抗および前記第４抵抗は前記ツェナーダイオードのカソードとアースとの間に接続され、前記第５抵抗の第１端は前記第３抵抗を介して前記ツェナーダイオードのアノードに接続され、前記第５抵抗の第１端は前記第４抵抗を介して接地され、前記第１ダイオードのカソードは前記電源モジュールに接続され、前記第１ダイオードのアノードは前記第５抵抗の第１端に接続され、前記第５抵抗の第２端は前記制御ユニットに接続され、前記第１コンデンサは前記第５抵抗の第２端とアースとの間に接続される、ことを特徴とする請求項２に記載の調光ドライバ回路。
【請求項４】
前記フィードバックユニットは、第６抵抗および第７抵抗を備え、前記第６抵抗および前記第７抵抗は前記定電流モジュールと前記制御ユニットとの間に直列に接続される、ことを特徴とする請求項２に記載の調光ドライバ回路。
【請求項５】
前記ＬＥＤ光源は、第１ＬＥＤランプおよび第２ＬＥＤランプを備え、前記調光ドライバ回路は、前記制御モジュールに接続され、スイッチング信号を生成するためのスイッチング信号モジュールと、そのうち、前記制御モジュールはさらに前記スイッチング信号に従って第１色温度調整信号および第２色温度調整信号を生成するために用いられ、前記制御モジュールおよび前記ＬＥＤ光源に接続され、前記第１色温度調整信号に従って前記駆動信号の電流を調整して前記第１ＬＥＤランプを発光させ、そして前記第２色温度調整信号に従って前記駆動信号の電流を調整して前記第２ＬＥＤランプを発光させるための色温度調整モジュールと、をさらに備える、ことを特徴とする請求項１に記載の調光ドライバ回路。
【請求項６】
前記定電圧モジュールは、
定電圧チップ、第８抵抗、第９抵抗、第１０抵抗、第１１抵抗、第１２抵抗、第１３抵抗、第１インダクタ、第１スイッチトランジスタ、第２コンデンサ、第２ダイオードおよび第３ダイオードを備え、
前記第１スイッチトランジスタのゲートは前記第８抵抗を介して前記定電圧チップのＰＦＣピンに接続され、前記第９抵抗は前記第１スイッチトランジスタのゲートと前記第１スイッチトランジスタのソースとの間に接続され、前記第１スイッチトランジスタのドレインは前記第１インダクタを介して前記整流モジュールに接続され、前記第１０抵抗は前記第１スイッチトランジスタのソースとアースとの間に接続され、前記第１３抵抗は前記定電圧チップのＶＢＵＳピンとアースとの間に接続され、前記第１１抵抗および前記第１２抵抗は前記第２コンデンサの第１端と前記定電圧チップのＶＢＵＳピンとの間に直列に接続され、前記第２コンデンサの第１端は前記第２ダイオードのカソードに接続され、前記第２ダイオードのアノードは前記整流モジュールに接続され、前記第３ダイオードのカソードは前記第２コンデンサの第１端に接続され、前記第３ダイオードのアノードは前記第１スイッチトランジスタのドレインに接続され、前記第２コンデンサの第２端は接地され、前記第２コンデンサの第２端は前記定電流モジュールに接続される、ことを特徴とする請求項１に記載の調光ドライバ回路。
【請求項７】
前記定電流モジュールは、
定電流チップ、第２スイッチトランジスタ、第２インダクタ、第１４抵抗、第１５抵抗、第１６抵抗、第１７抵抗、第１８抵抗、第３コンデンサおよび第４ダイオードを備え、
前記定電流チップの入力端子は前記第１４抵抗を介して前記制御モジュールに接続され、前記定電流チップの電源端子は前記電源モジュールに接続され、前記定電流チップの出力端子は前記第１５抵抗を介して前記第２スイッチトランジスタのゲートに接続され、前記第２スイッチトランジスタのソースは前記第１７抵抗を介して接地され、前記第１６抵抗は前記第２スイッチトランジスタのソースと前記第２スイッチトランジスタのゲートとの間に接続され、前記第２インダクタの第１端は前記第２スイッチトランジスタのドレインに接続され、前記第２インダクタの第２端は前記第１８抵抗を介して前記定電圧モジュールに接続され、前記第３コンデンサの第１端は前記定電圧モジュールおよび前記ＬＥＤ光源の正極に接続され、前記第３コンデンサの第２端は前記第２インダクタの第２端および前記ＬＥＤ光源の負極に接続され、前記第４ダイオードのアノードは前記第２スイッチトランジスタのドレインに接続され、前記第４ダイオードのカソードは前記定電圧モジュールに接続される、ことを特徴とする請求項１に記載の調光ドライバ回路。
【請求項８】
前記電源モジュールは、
前記定電圧モジュールに接続され、前記第１定電圧電源を第１電圧に変換するための第１電圧変換ユニットと、
前記第１電圧変換ユニットに接続され、前記第１電圧を第２電圧に変換するための第２電圧変換ユニットと、を備える、ことを特徴とする請求項１に記載の調光ドライバ回路。
【請求項９】
前記第１電圧変換ユニットは、
第１変換チップ、第３インダクタ、第１９抵抗、第２０抵抗、第５ダイオード、第６ダイオード、第４コンデンサおよび第５コンデンサを備え、
前記第１変換チップのＤピンは前記定電圧モジュールに接続され、前記第３インダクタの第１端は前記第１変換チップのＳピンに接続され、前記第３インダクタの第２端は前記第２電圧変換ユニットに接続され、前記第５ダイオードのアノードは前記第３インダクタの第２端に接続され、前記第５ダイオードのカソードは前記第４コンデンサを介して前記第３インダクタの第１端に接続され、前記第６ダイオードのカソードは前記第３インダクタの第１端に接続され、前記第６ダイオードのアノードは前記第５コンデンサを介して前記第３インダクタの第２端に接続され、前記第６ダイオードのアノードは接地され、前記第１９抵抗は前記第５ダイオードのカソードと前記第１変換チップのＦＢピンとの間に接続され、前記第２０抵抗は前記第３インダクタの第１端と前記第１変換チップのＦＢピンとの間に接続される、ことを特徴とする請求項８に記載の調光ドライバ回路。
【請求項１０】
調光器とＬＥＤ光源との間に接続される調光ドライバボードであって、
回路基板と、
前記回路基板に設けられた請求項１から９のいずれか１項に記載の調光ドライバ回路と、を備える、ことを特徴とする調光ドライバボード。